(57)【要約】【課題】  受信文書のセキュリティを確保することができるファクシミリ装置を提供する。【解決手段】  ファクシミリ文書の印刷機能のオン／オフを切り換える操作部７と、ファクシミリ文書の印刷機能オフ時は、ファクシミリ受信文書の印刷を停止する制御を行うシステム制御部１とを備えたファクシミリ装置。【選択図】        図１
2007129496.tif 000002
【特許請求の範囲】
【請求項１】
通信文書を印刷するか否かを切り換える操作部と、該操作部の切り換えに基づいて前記通信文書の印刷を制御する制御部と、を備え、
前記制御部は、前記操作部が印刷機能停止を指示した場合、前記通信文書の印刷を停止するように制御することを特徴とする通信装置。
【請求項２】
ネットワークの接続を制御するネットワーク制御部と、メール自動取得機能を有するメール受信制御部と、通信文書を印刷するか否かを切り換える操作部と、該操作部の切り換えに基づいて前記通信文書の印刷を制御する制御部と、を備え、
前記制御部は、前記操作部が印刷機能停止を指示した場合、メール自動取得機能オンであってもメール受信を停止するように制御することを特徴とする通信装置。
【請求項３】
送信やポーリング受信の制御を行う通信制御部と、通信文書を印刷するか否かを切り換える操作部と、該操作部の切り換えに基づいて前記通信文書の印刷を制御する制御部と、を備え、
前記制御部は、前記操作部が印刷機能停止を指示した場合、ポーリング受信ファイルが待機状態であってもポーリング受信を停止するように制御することを特徴とする通信装置。
【請求項４】
通信文書を印刷するか否かを切り換える操作部と、該操作部の切り換えに基づいて前記通信文書の印刷を制御する制御部と、を備え、
前記制御部は、前記操作部が印刷機能停止を指示した場合、自動出力レポートの起動条件になってもレポート印刷を停止するように制御することを特徴とする通信装置。
【発明の詳細な説明】
【技術分野】
【０００１】
本発明は、通信装置に関し、特にセキュリティ機能に特徴のあるファクシミリ装置に関する。
【背景技術】
【０００２】
夜間など、機器を操作する人が存在しない状況で、ファクシミリ受信した場合、受信文書を印刷してしまうと、受信文書が放置されたままとなり、セキュリティ上問題があった。このようなことから、受信文書を印刷するか否かを機器内タイマで制御する技術がある。
【発明の開示】
【発明が解決しようとする課題】
【０００３】
上記従来技術においても、タイマ設定で受信文書を印刷する時刻になれば、仮に操作する人が機器の前にいなくても自動的に受信文書を印刷することになり、セキュリティ上の問題は残る。
本発明は、受信文書のセキュリティを確保することができるファクシミリ装置を提供することを目的とする。
【課題を解決するための手段】
【０００４】
上記目的を達成するために、請求項１記載の発明は、通信文書を印刷するか否かを切り換える操作部と、該操作部の切り換えに基づいて前記通信文書の印刷を制御する制御部と、を備え、前記制御部は、前記操作部が印刷機能停止を指示した場合、前記通信受信文書の印刷を停止するように制御することを特徴とする。
請求項２記載の発明は、ネットワークの接続を制御するネットワーク制御部と、メール自動取得機能を有するメール受信制御部と、通信文書を印刷するか否かを切り換える操作部と、該操作部の切り換えに基づいて前記通信文書の印刷を制御する制御部と、を備え、前記制御部は、前記操作部が印刷機能停止を指示した場合、メール自動取得機能オンであってもメール受信を停止するように制御することを特徴とする。
請求項３記載の発明は、送信やポーリング受信の制御を行う通信制御部と、通信文書を印刷するか否かを切り換える操作部と、該操作部の切り換えに基づいて前記通信文書の印刷を制御する制御部と、を備え、前記制御部は、前記操作部が印刷機能停止を指示した場合、ポーリング受信ファイルが待機状態であってもポーリング受信を停止するように制御することを特徴とする。
請求項４記載の発明は、通信文書を印刷するか否かを切り換える操作部と、該操作部の切り換えに基づいて前記通信文書の印刷を制御する制御部と、を備え、前記制御部は、前記操作部が印刷機能停止を指示した場合、自動出力レポートの起動条件になってもレポート印刷を停止するように制御することを特徴とする。
【発明の効果】
【０００５】
本発明によれば、ユーザー操作により操作する人が存在する／しないが明示され、操作する人がいない場合は受信文書の印刷を行わないので、受信文書及び自動出力されたレポートを持ち去られたり、参照されたりする心配がなくなる。
また、本発明によれば、操作する人がいない場合はメール受信及びポーリング受信しないため、機器内のメモリを節約することができる。
【発明を実施するための最良の形態】
【０００６】
以下、本発明の実施形態を図面に従って説明する。
図１は本発明の実施形態に係るファクシミリ装置の機能ブロック図である。
図１において、システム制御部１は本ファクシミリ装置のシステム全体を監視制御するものである。システムメモリー部２は装置に予め登録される情報や通信に必要なデータを一時格納するものである。読取部３は原稿を読み取るものである。
印刷部４は記録紙に画像を出力するものである。文書蓄積部５は読取部３より蓄積した原稿や、受信した文書を格納するものである。通信制御部６はＧ３／Ｇ４ファクス通信制御、画情報の圧縮再生制御、モデム制御、ＮＣＵ制御などを行うものである。操作部７はユーザーが各種操作を行うものである。
電話番号管理部８は操作部７から登録された各種電話番号やメールアドレスを管理するものである。ネットワーク制御部９はＬＡＮへの接続を行い、Ｗｅｂブラウザからの登録操作や、機器内の状態を表示したりするものである。メール受信制御部１０はメールサーバーからのメールを受信し、一定間隔で自動取得したり、ユーザー操作時に手動取得を行うものである。
図２は図１に示すファクシミリ装置の第１の制御例を示すフローチャートである。操作部７よりファクシミリ文書の印刷機能のオン／オフを設定する（Ｓ１乃至Ｓ３）。受信を開始したら（Ｓ４でＹ）、受信文書は文書蓄積部５に蓄積して終了する（Ｓ５）。該ファクシミリ文書の印刷機能オン時は（Ｓ６でＹ）、受信した文書を通常通り印刷するが（Ｓ７）、印刷機能オフ時は受信した後、文書蓄積部５に蓄積したまま印刷を行わない。
【０００７】
図３は図１に示すファクシミリ装置の第２の制御例を示すフローチャートである。操作部７よりファクシミリ文書の印刷機能のオン／オフを設定する（Ｓ１乃至Ｓ３）。メール受信機能を有しているので、操作部７よりメール受信の自動取得機能のオン／オフを設定する。メール受信の自動取得機能オンで取得するタイミングとなった場合（Ｓ４でＹ）、該ファクシミリ文書の印刷機能オン時は（Ｓ５でＹ）、メール受信を行い（Ｓ６）、受信文書を文書蓄積部５に蓄積し、メール受信した文書を印刷するが（Ｓ７）、印刷機能オフ時はメール受信を行わない。
図４は図１に示すファクシミリ装置の第３の制御例を示すフローチャートである。操作部７よりファクシミリ文書の印刷機能のオン／オフを設定する（Ｓ１乃至Ｓ３）。ポーリング受信の待機文書があった場合（Ｓ４でＹ）、該ファクシミリ文書の印刷機能のオン時は（Ｓ５でＹ）、通常通りポーリング受信を行い（Ｓ６）、受信した文書を印刷するが（Ｓ７）、印刷機能オフ時は、ポーリング受信の待機文書があってもポーリング受信を行わない。
図５は図１に示すファクシミリ装置の第４の制御例を示すフローチャートである。操作部７よりファクシミリ文書の印刷機能のオン／オフを設定する（Ｓ１乃至Ｓ３）。自動出力するレポートが起動する条件になったか判断し（Ｓ４）、該ファクシミリ文書の印刷機能オン時は（Ｓ５）、自動出力するレポートを通常通り印刷するが（Ｓ６）、印刷機能オフ時は自動出力するレポートがあっても印刷を行わない。
【図面の簡単な説明】
【０００８】
【図１】本発明の実施形態に係るファクシミリ装置の機能ブロック図。
【図２】図１に示すファクシミリ装置の第１の制御例を示すフローチャート。
【図３】図１に示すファクシミリ装置の第２の制御例を示すフローチャート。
【図４】図１に示すファクシミリ装置の第３の制御例を示すフローチャート。
【図５】図１に示すファクシミリ装置の第４の制御例を示すフローチャート。
【符号の説明】
【０００９】
１  システム制御部、６  通信制御部、７  操作部、９  ネットワーク制御部、１０  メール受信制御部
【図１】
2007129496.tif 000003
【図２】
2007129496.tif 000004
【図３】
2007129496.tif 000005
【図４】
2007129496.tif 000006
【図５】
2007129496.tif 000007